(57)【要約】【課題】本発明は、温水循環型介護機器を提供する。【解決手段】本体（１）と動作ヘッドを備え、前記本体（１）に水タンクホルダー（１０）、清水タンク（１１）、小ポンプ（１２）及びＰＣＴヒータ（１３）が設けられ、水タンクホルダー（１０）の下部に加熱タンク（１４）が設けられ、清水タンク（１１）が水タンクホルダー（１０）の上部に設けられ、前記水タンクホルダー（１１）に分流弁（１５）が設けられ、分流弁（１５）の給水口が水管を介してそれぞれ加熱タンク（１４）と清水タンク（１１）に接続され、分流弁（１５）の吐水口、小ポンプ（１２）、ＰＴＣヒータ（１３）、加熱タンク（１４）が水管を介して順に接続され、前記本体（１）に制御システムと主電源（２２）が設けられ、小ポンプ（１２）、ＰＴＣヒータ（１３）、分流弁（１５）がそれぞれ制御システムによって主電源（２２）に電気接続される温水循環型介護機器。クイック接続構造、迅速組立外れ防止機構を使用して部材を接続し、更に静音構造と防水溢れ防止装置を使用し、循環加熱によって吐出水の温度が安定し加熱速度が高く、殺菌・消毒、循環加熱が可能であるという特徴を有し、患者にクリーンな洗浄用水を提供し、また安全で信頼性が高く、省エネであるとともに環境にやさしい。【選択図】図１
2017515539.tif 000002
【特許請求の範囲】
【請求項１】
本体（１）と動作ヘッドを含む温水循環型介護機器であって、
前記本体（１）に水タンクホルダー（１０）、清水タンク（１１）、小ポンプ（１２）及びＰＴＣヒータ（１３）が設けられ、水タンクホルダー（１０）の下部に加熱タンク（１４）が設けられ、清水タンク（１１）が水タンクホルダー（１０）の上部に設けられ、前記水タンクホルダー（１０）に分流弁（１５）が設けられ、分流弁（１５）の給水口が水管を介してそれぞれ加熱タンク（１４）と清水タンク（１１）に接続され、分流弁（１５）の吐水口、小ポンプ（１２）、ＰＴＣヒータ（１３）、加熱タンク（１４）が水管を介して順に接続され、前記本体（１）に制御システムと主電源（２２）が設けられ、小ポンプ（１２）、ＰＴＣヒータ（１３）、分流弁（１５）がそれぞれ制御システムによって主電源（２２）に電気接続されることを特徴とする温水循環型介護機器。
【請求項２】
前記本体（１）に、前記ＰＴＣヒータ（１３）と加熱タンク（１４）の間の水管に接続されるとともに、制御システムに電気接続されるＵＶ消毒器（１６）が設けられることを特徴とする請求項１に記載の温水循環型介護機器。
【請求項３】
前記水タンクホルダー（１０）の一側にポンプホルダー（２０）が設けられ、ポンプホルダー（２０）内に大ポンプ（２１）が設けられ、大ポンプ（２１）が水管を介してそれぞれ加熱タンク（１４）と動作ヘッドに接続されることを特徴とする請求項１に記載の温水循環型介護機器。
【請求項４】
前記清水タンク（１１）に液位センサ（１８）が設けられ、加熱タンク（１４）に温度センサ（１７）が設けられ、液位センサ（１８）と温度センサ（１７）がそれぞれ制御システムに接続され、加熱タンク（１４）の底面に汚物排出弁（１９）が設けられることを特徴とする請求項１に記載の温水循環型介護機器。
【請求項５】
前記ＰＴＣヒータ（１３）と小ポンプ（１２）のいずれの外側にも絶縁ハウジングがカバーされていることを特徴とする請求項１に記載の温水循環型介護機器。
【請求項６】
前記動作ヘッド（２０１）とホース（２０２）がクイック接続構造を採用し、前記動作ヘッド（２０１）の末端にベース（２１０）が設けられ、ベース（２１０）の両側にフック状吊りラグ（２１１）が設けられ、ベース（２１０）の後端面に汚水ポート（２１２）、電気回路ポート（２１３）及び清水ポート（２１４）が設けられ、前記ホース（２０２）の前端にプラグ（２２０）が接続され、プラグ（２２０）の両側に掛け金（２２１）が設けられ、プラグ（２２０）の前端面に汚水継手（２２２）、電気回路継手（２２３）及び清水継手（２２４）が設けられることを特徴とする請求項１に記載の温水循環型介護機器。
【請求項７】
前記ベース（２１０）の後端面に、ベース（２１０）の中心線の両側に沿って対称的に分布している複数の位置決め孔（２１５）が設けられ、プラグ（２２０）の前端面に、複数の位置決め孔（２１５）とペアになるように設置される複数の位置決め柱（２２５）が設けられることを特徴とする請求項６に記載の温水循環型介護機器。
【請求項８】
前記位置決め柱（２２５）は、前部が小さくて後部が大きい錐台構造として設置され、位置決め孔（２１５）のポート縁に面取り部が設けられることを特徴とする請求項７に記載の温水循環型介護機器。
【請求項９】
前記汚水ポート（２１２）の外縁に第１環状溝（２１７）が設けられ、第１環状溝（２１７）にＯリングが套設され、汚水継手（２２２）の内径が汚水ポート（２１２）の外径にマッチングすることを特徴とする請求項６に記載の温水循環型介護機器。
【請求項１０】
前記ベース（２１０）の後端面に嵌合孔（２１８）が設けられ、汚水ポート（２１２）が嵌合孔（２１８）内に套設され、嵌合孔（２１８）の内径が汚水継手（２２２）の外径にマッチングすることを特徴とする請求項６に記載の温水循環型介護機器。
【請求項１１】
前記清水継手（２２４）の外縁に第２環状溝（２２７）が設けられ、第２環状溝（２２７）にＯリングが套設され、清水継手（２２４）の外径が清水ポート（２１４）の内径にマッチングすることを特徴とする請求項６に記載の温水循環型介護機器。
【請求項１２】
前記電気回路ポート（２１３）の内壁にガイドバー（２１６）が設けられ、電気回路継手（２２３）の外壁にガイドバー（２１６）と嵌合するガイド溝（２２６）が設けられることを特徴とする請求項６に記載の温水循環型介護機器。
【請求項１３】
前記本体のハウジング（３１０）に迅速組立・外れ防止機構が設置され、前記迅速組立・外れ防止機構は、前記本体のハウジング（３１０）のパネルにベース（３２０）が設けられ、ベース（３２０）の前端の外縁にねじ山が設けられ、ベース（３２０）の内孔の両側にあて板（３２１）が設けられ、ベース（３２０）にナットスリーブ（３３０）、ホーススリーブ（３６０）、第１管継手（３５０）、第２管継手（３４０）が接続され、前記第２管継手（３４０）に第２套管（３４１）と第２配管（３４２）が設けられ、第２套管（３４１）と第２配管（３４２）の前端があて板（３２１）を貫通するとともに、第２管継手（３４０）があて板（３２１）の後側に当接され、前記第１管継手（３５０）に止めリング（３５３）、第１套管（３５１）及び第１配管（３５２）が設けられ、第１套管（３５１）と第１配管（３５２）の前端が止めリング（３５３）内に設けられ、第１套管（３５１）の後端が第２套管（３４１）の前端内に穿設され、第１配管（３５２）の後端が第２配管（３４２）の前端内に穿設され、前記ホーススリーブ（３６０）の後端が止めリング（３５３）に套設され、ナットスリーブ（３３０）がホーススリーブ（３６０）に套設されるとともに、ナットスリーブ（３３０）の後端がベース（３２０）の前端に螺合されるように構成されることを特徴とする請求項１に記載の温水循環型介護機器。
【請求項１４】
前記止めリング（３５３）の前端外縁にガイド歯（３５４）が設けられ、ホーススリーブ（３６０）の内壁に止め歯（３６１）が設けられることを特徴とする請求項１３に記載の温水循環型介護機器。
【請求項１５】
前記第１管継手（３５０）に線通し溝（３５５）が設けられ、第２管継手（３４０）において線通し溝（３５５）と対応する位置に線通し孔（３４３）が設けられることを特徴とする請求項１３に記載の温水循環型介護機器。
【請求項１６】
前記ベース（３２０）の裏側において第２管継手（３４０）と対応する位置に複数の固定孔（３４３）が設けられることを特徴とする請求項１３に記載の温水循環型介護機器。
【請求項１７】
前記第１配管（３５２）と第２配管（３４２）の裏端外縁に波形歯が設けられることを特徴とする請求項１３に記載の温水循環型介護機器。
【請求項１８】
前記本体（１）に負圧源（４０２）と汚物タンク（４０３）が設けられ、前記汚物タンク（４０３）の天蓋にリリーフバルブ（４３２）とアダプタ（４３１）が設けられ、アダプタ（４３１）に給水口（６１１）と排気口（６１２）が設けられ、給水口（６１１）が水管を介して動作ヘッドに接続されて、排気口（６１２）が空気管を介して負圧源（４０２）に接続され、前記負圧源（４０２）は、負圧源ハウジング（４２１）、負圧ユニット（４２２）及び高速送風機（４２３）を含み、負圧源ハウジング（４２１）の上端に吸気継手（５１１）が設けられ、負圧源ハウジング（４２１）の下端に排気コネクタ（５１２）が設けられ、負圧ユニット（４２２）は、負圧源ハウジング（４２１）内に設けられ、負圧ユニット（４２２）の外壁と負圧源ハウジング（４２１）の内壁の間に消音綿（４２４）が設けられ、前記高速送風機（４２３）が負圧ユニット（４２２）内に設けられ、高速送風機（４２３）の上端における吸気口が負圧ユニット（４２２）によって吸気継手（５１１）に連通し、高速送風機（４２３）の下端における排気口が負圧ユニット（４２２）によって排気コネクタ（５１２）に連通し、高速送風機（４２３）の吸気口と排気口の間における負圧ユニット（４２２）のキャビティーに消音綿（４２４）が設けられることを特徴とする請求項１に記載の温水循環型介護機器。
【請求項１９】
前記負圧ユニット（４２２）は、フード（５２１）を含み、フード（５２１）の最上面にダクト押さえ板（５２２）が設けられ、高速送風機（４２３）の上端がダクト押さえ板（５２２）に固定接続され、フード（５２１）の底面に環状のダクトあて板（５２３）が設けられ、高速送風機（４２３）の下端がダクトあて板（５２３）内に配置されるとともに、フード（５２１）に固定接続され、ダクトあて板（５２３）の外側におけるフード（５２１）の底板にダクト出口（５２４）が設けられることを特徴とする請求項１８に記載の温水循環型介護機器。
【請求項２０】
前記ダクトあて板（５２３）の外壁とフード（５２１）の間に消音綿（４２４）が設けられることを特徴とする請求項１９に記載の温水循環型介護機器。
【請求項２１】
前記高速送風機（４２３）の下端とフード（５２１）の間に衝撃吸収ゴムシート（４２５）が設けられることを特徴とする請求項１９に記載の温水循環型介護機器。
【請求項２２】
前記リリーフバルブ（４３２）は、バルブケース（６２４）、バルブカバー（６２１）、プラグ（６２２）及びバネ（６２３）を含み、バルブケース（６２４）は、下端が汚物タンク（４０３）の天蓋を貫通して汚物タンクに固定接続され、バルブカバー（６２１）がバルブケース（６２４）の上端に螺合され、バルブカバー（６２１）にリリーフ孔が設けられ、前記プラグ（６２２）がバルブケース（６２４）内に上下移動可能に設置されるとともに、プラグ（６２２）の上端がバルブカバー（６２１）のリリーフ孔の位置に当接され、バネ（６２３）がプラグ（６２２）の下端とバルブケース（６２４）の底面の間に設けられることを特徴とする請求項１８に記載の温水循環型介護機器。
【請求項２３】
前記アダプタ（４３１）の給水口（６１１）内にフィルタ（６１３）が設けられることを特徴とする請求項１８に記載の温水循環型介護機器。
【請求項２４】
前記本体は、汚水タンク（７０２）、負圧源（４０２）、洗浄機構（７０４）、電源（７０６）及び制御システムが設置された移動可能な支持台（７０１）を備え、前記汚水タンク（７０２）の給水口と洗浄機構（７０４）がそれぞれホースを介して動作ヘッドに接続される温水循環型介護機器において、汚水タンク（７０２）の排気口と負圧源（４０２）の間に除水装置（７０５）が接続され、前記除水装置（７０５）は、ベース（７５０）と上カバープレート（７５１）を含み、ベース（７５０）の下ポートに貯水容器（７５７）が設けられ、上カバープレート（７５１）がベース（７５０）の上ポートに接続され、上カバープレート（７５１）に吸気接続管（７５２）と排気接続管（７５３）が設けられ、吸気接続管（７５２）の上端が、ホースを介して汚水タンク（７０２）に接続され、排気接続管（７５３）の上端が、ホースを介して負圧源（４０２）に接続され、前記負圧源（４０２）と洗浄機構（７０４）はそれぞれ制御システムによって電源（７０６）に接続される請求項１に記載の温水循環型介護機器。
【請求項２５】
前記貯水容器（７５７）の上端に、制御システムに接続される液位センサ（７５６）が設けられ、貯水容器（７５７）の下端に排水スイッチ（７５９）が設けられることを特徴とする請求項２４に記載の温水循環型介護機器。
【請求項２６】
前記ベース（７５０）内にあて板（７５４）が設けられ、あて板（７５４）の一側に、上下に対向配置されている吸気接続管（７５２）と貯水容器（７５７）が設けられ、あて板（７５４）の他側に排気接続管（７５３）が設けられるとともに、該他側のベース（７５０）内に防水ボール（７５５）が設けられることを特徴とする請求項２４に記載の温水循環型介護機器。
【請求項２７】
前記排気接続管（７５３）の上端に、ホースを介して負圧源（４０２）に接続される継手（７５８）が接続され、排気接続管（７５３）と継手（７５８）内に格子状あて板が設けられるとともに、前記格子状あて板同士の間に乾燥スポンジが充填されていることを特徴とする請求項２４に記載の温水循環型介護機器。
【請求項２８】
動作ヘッド（２０１）とホース（２０２）を含む介護機器用のクイック接続構造であって、
前記動作ヘッド（２０１）の末端にベース（２１０）が設けられ、ベース（２１０）の両側にフック状吊りラグ（２１１）が設けられ、ベース（２１０）の後端面に汚水ポート（２１２）、電気回路ポート（２１３）及び清水ポート（２１４）が設けられ、前記ホース（２０２）の前端にプラグ（２２０）が接続、プラグ（２２０）の両側に掛け金（２２１）が設けられ、プラグ（２２０）の前端面に汚水継手（２２２）、電気回路継手（２２３）及び清水継手（２２４）が設けられる介護機器用のクイック接続構造。
【請求項２９】
前記ベース（２１０）の後端面に、ベース（２１０）の中心線の両側に沿って対称的に分布している複数の位置決め孔（２１５）が設けられ、プラグ（２２０）の前端面に、複数の位置決め孔（２１５）とペアになるように設置される複数の位置決め柱（２２５）が設けられることを特徴とする請求項２８に記載の介護機器クイック用の接続構造。
【請求項３０】
前記位置決め柱（２２５）は、前部が小さくて後部が大きい錐台構造として設置され、位置決め孔（２１５）のポート縁に面取り部が設けられることを特徴とする請求項２９に記載の介護機器用のクイック接続構造。
【請求項３１】
前記汚水ポート（２１２）の外縁に第１環状溝（２１７）が設けられ、第１環状溝（２１７）にＯリングが套設され、汚水継手（２２２）の内径が汚水ポート（２１２）の外径にマッチングすることを特徴とする請求項２８に記載の介護機器用のクイック接続構造。
【請求項３２】
前記ベース（２１０）の後端面に嵌合孔（２１８）が設けられ、汚水ポート（２１２）が嵌合孔（２１８）内に套設され、嵌合孔（２１８）の内径が汚水継手（２２２）の外径にマッチングすることを特徴とする請求項２８に記載の介護機器用のクイック接続構造。
【請求項３３】
前記清水継手（２２４）の外縁に第２環状溝（２２７）が設けられ、第２環状溝（２２７）にＯリングが套設され、清水継手（２２４）の外径が清水ポート（２１４）の内径にマッチングすることを特徴とする請求項２８に記載の介護機器用のクイック接続構造。
【請求項３４】
前記電気回路ポート（２１３）の内壁にガイドバー（２１６）が設けられ、電気回路継手（２２３）の外壁にガイドバー（２１６）と嵌合するガイド溝（２２６）が設けられることを特徴とする請求項２８に記載の介護機器用のクイック接続構造。
【請求項３５】
本体のハウジング（３１０）を含む介護機器用の迅速組立・外れ防止機構であって、
前記ハウジング（３１０）のパネルにベース（３２０）が設けられ、ベース（３２０）の前端の外縁にねじ山が設けられ、ベース（３２０）の内孔の両側にあて板（３２１）が設けられ、ベース（３２０）にナットスリーブ（３３０）、ホーススリーブ（３６０）、第１管継手（３５０）、第２管継手（３４０）が接続され、前記第２管継手（３４０）に第２套管（３４１）と第２配管（３４２）が設けられ、第２套管（３４１）と第２配管（３４２）の前端が、あて板（３２１）を貫通するとともに、第２管継手（３４０）があて板（３２１）の後側に当接され、前記第１管継手（３５０）に止めリング（３５３）、第１套管（３５１）及び第１配管（３５２）が設けられ、第１套管（３５１）と第１配管（３５２）の前端が、止めリング（３５３）内に設けられ、第１套管（３５１）の後端が、第２套管（３４１）の前端内に穿設され、第１配管（３５２）の後端が、第２配管（３４２）の前端内に穿設され、前記ホーススリーブ（３６０）の後端が、止めリング（３５３）に套設され、ナットスリーブ（３３０）が、ホーススリーブ（３６０）に套接されるとともに、ナットスリーブ（３３０）の後端がベース（３２０）の前端に螺合されることを特徴とする介護機器用の迅速組立・外れ防止機構。
【請求項３６】
前記止めリング（３５３）の前端の外縁にガイド歯（３５４）が設けられ、ホーススリーブ（３６０）の内壁に止め歯（３６１）が設けられることを特徴とする請求項３５に記載の介護機器用の迅速組立・外れ防止機構。
【請求項３７】
前記第１管継手（３５０）に線通し溝（３５５）が設けられ、第２管継手（３４０）において線通し溝（３５５）と対応する位置に線通し孔（３４３）が設けられることを特徴とする請求項３５に記載の介護機器用の迅速組立・外れ防止機構。
【請求項３８】
前記ベース（３２０）の裏側において第２管継手（３４０）と対応する位置に複数の固定孔（３４３）が設けられることを特徴とする請求項３５に記載の介護機器用の迅速組立・外れ防止機構。
【請求項３９】
前記第１配管（３５２）と第２配管（３４２）の裏端外縁に波形歯が設けられることを特徴とする請求項３５に記載の介護機器用の迅速組立・外れ防止機構。
【請求項４０】
動作ヘッドと、負圧源（４０２）と汚物タンク（４０３）が設けられた本体（１）と、を備える安全静音型介護機器であって、
前記汚物タンク（４０３）の天蓋にリリーフバルブ（４３２）とアダプタ（４３１）が設けられ、アダプタ（４３１）に、水管を介して動作ヘッドに接続される給水口（６１１）と、空気管を介して負圧源（４０２）に接続される排気口（６１２）が設けられ、前記負圧源（４０２）は、負圧源ハウジング（４２１）、負圧ユニット（４２２）及び高速送風機（４２３）を含み、負圧源ハウジング（４２１）は、上端に吸気継手（５１１）が設けられ、下端に排気コネクタ（５１２）が設けられ、負圧ユニット（４２２）は、負圧源ハウジング（４２１）内に設けられ、負圧ユニット（４２２）の外壁と負圧源ハウジング（４２１）の内壁の間に消音綿（４２４）が設けられ、前記高速送風機（４２３）は、負圧ユニット（４２２）内に設けられ、高速送風機（４２３）の上端における吸気口が負圧ユニット（４２２）によって吸気継手（５１１）に連通し、高速送風機（４２３）の下端における排気口が負圧ユニット（４２２）によって排気コネクタ（５１２）に連通し、高速送風機（４２３）の吸気口と排気口の間の負圧ユニット（４２２）のキャビティーに消音綿（４２４）が設けられることを特徴とする安全静音型介護機器。
【請求項４１】
前記負圧ユニット（４２２）は、フード（５２１）を含み、フード（５２１）の最上面にダクト押さえ板（５２２）が設けられ、高速送風機（４２３）の上端がダクト押さえ板（５２２）に固定接続され、フード（５２１）の底面に環状のダクトあて板（５２３）が設けられ、高速送風機（４２３）の下端が、ダクトあて板（５２３）内に配置されるとともに、フード（５２１）に固定接続され、ダクトあて板（５２３）の外側におけるフード（５２１）の底板にダクト出口（５２４）が設けられることを特徴とする請求項４０に記載の安全静音型介護機器。
【請求項４２】
前記ダクトあて板（５２３）の外壁とフード（５２１）の間に消音綿（４２４）が設けられることを特徴とする請求項４１に記載の安全静音型介護機器。
【請求項４３】
前記高速送風機（４２３）の下端とフード（５２１）の間に衝撃吸収ゴムシート（４２５）が設けられることを特徴とする請求項４１に記載の安全静音型介護機器。
【請求項４４】
前記リリーフバルブ（４３２）は、バルブケース（６２４）、バルブカバー（６２１）、プラグ（６２２）及びバネ（６２３）を含み、バルブケース（６２４）は、下端が汚物タンク（４０３）の天蓋を貫通して汚物タンクに固定接続され、バルブカバー（６２１）がバルブケース（６２４）の上端に螺合され、バルブカバー（６２１）にリリーフ孔が設けられ、前記プラグ（６２２）がバルブケース（６２４）内に上下移動可能に設置されるとともに、プラグ（６２２）の上端がバルブカバー（６２１）のリリーフ孔の位置に当接され、バネ（６２３）がプラグ（６２２）の下端とバルブケース（６２４）の底面の間に設けられることを特徴とする請求項４０に記載の安全静音型介護機器。
【請求項４５】
前記アダプタ（４３１）の給水口（６１１）内にフィルタ（６１３）が設けられることを特徴とする請求項４０に記載の安全静音型介護機器。
【請求項４６】
動作ヘッドと本体を備え、前記本体は、移動可能な支持台（７０１）を含み、支持台（７０１）に汚水タンク（７０２）、負圧源（４０２）、洗浄機構（７０４）、電源（７０６）及び制御システムが設けられ、前記汚水タンク（７０２）の給水口と洗浄機構（７０４）が、それぞれホースを介して動作ヘッドに接続される、防水溢れ防止装置付きのインテリジェント介護機器であって、
汚水タンク（７０２）の排気口と負圧源（４０２）の間に除水装置（７０５）が接続され、前記除水装置（７０５）は、ベース（７５０）と上カバープレート（７５１）を含み、ベース（７５０）の下ポートに貯水容器（７５７）が設けられ、上カバープレート（７５１）がベース（７５０）の上ポートに接続され、上カバープレート（７５１）に吸気接続管（７５２）と排気接続管（７５３）が設けられ、吸気接続管（７５２）の上端がホースを介して汚水タンク（７０２）に接続され、排気接続管（７５３）の上端がホースを介して負圧源（４０２）に接続され、前記負圧源（４０２）と洗浄機構（７０４）はそれぞれ制御システムによって電源（７０６）に接続されることを特徴とする防水溢れ防止装置付きのインテリジェント介護機器。
【請求項４７】
前記貯水容器（７５７）の上端に、制御システムに接続される液位センサ（７５６）が設けられ、貯水容器（７５７）の下端に排水スイッチ（７５９）が設けられることを特徴とする請求項４６に記載の防水溢れ防止装置付きのインテリジェント介護機器。
【請求項４８】
前記ベース（７５０）内にあて板（７５４）が設けられ、あて板（７５４）の一側に、上下に対向配置されている吸気接続管（７５２）と貯水容器（７５７）が設けられ、あて板（７５４）の他側に排気接続管（７５３）が設けられるとともに、該他側のベース（７５０）内に防水ボール（７５５）が設けられることを特徴とする請求項４６に記載の防水溢れ防止装置付きのインテリジェント介護機器。
【請求項４９】
前記排気接続管（７５３）の上端に継手（７５８）が接続され、継手（７５８）がホースを介して負圧源（４０２）に接続され、排気接続管（７５３）と継手（７５８）内に格子状あて板が設けられるとともに、前記格子状あて板同士の間に乾燥スポンジが充填されることを特徴とする請求項４６に記載の防水溢れ防止装置付きのインテリジェント介護機器。
【発明の詳細な説明】
【技術分野】
【０００１】
本発明は医療・介護機器の技術分野に関し、特に温水循環型介護機器に関する。
【背景技術】
【０００２】
人々の生活水準の向上に伴って、心血管・脳血管等の疾患によって自分で排尿や排便ができない寝たきりの患者は、年々増加し、家庭、社会に大きなプレッシャーをもたらす。患者は自分で排尿や排便ができないため、看護スタッフの協力を必要とし、患者の排泄時間の不確定性が看護スタッフの仕事量を増加するとともに、患者の身体、特にメンタルに大きな痛み及び負担を引き起こす。従って、医療機関や患者の家族は、往々にして専用排泄介護機器を使用することによって、介護者の負担を軽減させて、患者の治療環境を効果的に改善することができる。
【０００３】
従来の介護機器は、構造及び機能が不適切であり、使用中にいくつかの問題が存在する。介護機器に使用される洗浄用水は、加熱する必要があり、従来の介護機器では、一般的に瞬間温水器と従来型温水器の２種類を使用し、瞬間温水器は、起動時に排出する温水が設定温度未満で、且つ加熱効率が出力パワーと水量に制限され、ヒータのパワーに対する要求が高く、従来型温水器は、発熱部材が水タンク内に設置されているため、漏電や空焚きのリスクが存在し、更に、介護機器の動作時間がランダムであるから、ヒータが長期間保温状態に保持されなければならないことによって、エネルギー消費量が大きく、省エネ性と環境保全性に改善する余裕がある。更に、介護機器は、使用中に汚染されて細菌を繁殖させて、更に洗浄用水を介して患者に悪影響を与えることがあるから、健康上のリスクがあり、従来の構造を改良する必要がある。
【０００４】
一般的な排泄介護機器の市販品は、動作ヘッドと本体を含み、動作ヘッドは、患者下半身に套設されて排泄物を収集することに用いられ、動作ヘッドに、患者の下半身を洗浄し動作ヘッドの内部をクリーニングする噴水機構が設けられ、動作ヘッドに、更に患者の下半身を乾燥させる送風機が設けられ、本体に、汚物吸引装置、給水装置及び制御プロセッサが設けられ、給水装置は、清水を加熱して、ポンプにより動作ヘッドの噴水機構に搬送し、汚物吸引装置は、真空引き作用によって動作ヘッドにおける排泄物とクリーニング用水を吸引する。したがって、介護機器の動作ヘッドと本体の各部材は、汚水管、清水管及び電気回路によって接続される必要があり、これら汚水管、清水管及び電気回路は、束ねられて１本の接続ホースに穿設し、該接続ホース、汚水管、清水管及び電気回路の両端はそれぞれ本体と動作ヘッドに接続される。使用中に接続ホースが動作ヘッド及び本体から外れることを防止するために、従来、接続ホースを動作ヘッドと本体に固定接続する場合が多く、これにより誤動作による外れに起因する配管内の排泄物や水の漏れを避ける。しかし、患者が動作ヘッドを着用する必要がない場合に、動作ヘッドを収納しにくい問題が発生し、わずかな継手漏れの問題があっても、動作ヘッドを完全に分解する必要があり、検出や修理に多くのトラブルをもたらすため、その使用性能を向上させるために改良する必要がある。
【０００５】
動作ヘッドは、ホースによって本体に接続されて更に排泄物と汚水を汚水バレルに収集する。本体とホースとは、一般的に、管継手で套設されて、本体の継手にネジで固定されまたは直接ホースの弾性によって挿入されて接続される。この２種類の従来の接続方式は、使用中に取付接続が煩雑で、接続強度が低く、自動外れが発生しやすいなどの問題があるため、従来の構造を改善する必要がある。
【０００６】
従来の介護機器は、構造及び機能が不適切であり、使用中にいくつかの問題が存在する。介護機器は、負圧源を動力装置として、汚物バレルに接続されて汚物バレルを真空化させて、動作ヘッド内の汚水を接続配管から汚物バレルに流れ込ませる。従来の負圧源として、一般的に高速送風機が使用され、騒音を低減させるために送風機に簡単なダクトや防音綿等の手段を増設しているが、効果が不十分である。接続配管に目詰りが発生する時に負圧源が動作し続け、汚水バレルを崩して負圧源等の部材をダメージするまで汚水バレル内の真空圧力が徐々に高まる。従来の介護機器は、一般的に、真空センサで汚水バレル内の圧力を検出し、限界値を超えると、制御システムで負圧源を閉じて更なるダメージを防止する。電気制御方式は、使用中に故障率が高く、センサと制御システムのいずれが故障すると、重大な結果を招く。
【０００７】
介護機器は、主に動作ヘッド、負圧源、水タンク、汚水タンク及びポンプ等を含み、清水で動作ヘッド及び患者の下半身を洗浄して、更に負圧源で排泄物等を汚水タンクに吸上げる。従来の介護機器は、上記問題を大体解決できるが、構造的にも機能的にも十分に適切であるとは言えず、使用中にいくつかの問題が存在する。一般的に、負圧源として、高速送風機又は真空ポンプが使用され、使用中に水源の接触が禁止される上に、負圧源が汚水タンク及び水源管路に連通しているため、高速の空気を吸い込む時に一部の水蒸気が混入することがあり、従来の介護機器は、センサと制御ソフトウェアによって水接触による漏電等のトラブルを防止するのであり、効果が低い。センサとソフトウェアはＤＢＵＧと故障が発生して、負圧源に水が浸入して壊れたり感電したりするリスクが増大することがしばしばあり、従って、従来の構造を改良することが必要である。
【発明の概要】
【発明が解決しようとする課題】
【０００８】
本発明は、従来技術の欠点に対処して、構造が適切で、安全に使用でき、省エネ環境に優しい温水循環型介護機器を提供することを目的とする。
【課題を解決するための手段】
【０００９】
上記目的を達成させるために、本発明は、以下の技術的解決手段を採用する。
【００１０】
本発明に係る温水循環型介護機器は、本体と動作ヘッドを含み、前記本体に水タンクホルダー、清水タンク、小ポンプ及びＰＴＣヒータが設けられ、水タンクホルダーの下部に加熱タンクが設けられ、清水タンクが水タンクホルダーの上部に設けられ、前記水タンクホルダーに分流弁が設けられ、分流弁の給水口が配管を介してそれぞれ加熱タンクと清水タンクに接続され、分流弁の吐水口、小ポンプ、ＰＴＣヒータ、加熱タンクが配管を介して順に接続され、前記本体に制御システムと主電源が設けられ、小ポンプ、ＰＴＣヒータ、分流弁がそれぞれ制御システムによって主電源に電気接続される。
【００１１】
更に、前記本体にＵＶ消毒器が設けられ、ＵＶ消毒器が前記ＰＴＣヒータと加熱タンクとの間の配管に接続され、ＵＶ消毒器と制御システムが電気接続される。
【００１２】
更に、前記水タンクホルダーの一側にポンプホルダーが設けられ、ポンプホルダー内に大ポンプが設けられ、大ポンプが配管を介してそれぞれ加熱タンクと動作ヘッドに接続される。
【００１３】
更に、前記清水タンクに液位センサが設けられ、加熱タンクに温度センサが設けられ、液位センサと温度センサがそれぞれ制御システムに接続され、加熱タンクの底面に汚物排出弁が設けられる。
【００１４】
更に、前記ＰＴＣヒータと小ポンプのいずれの外側にも絶縁ハウジングがカバーされている。
【００１５】
更に、前記動作ヘッドとホースにクイック接続構造が使用され、前記動作ヘッドの末端にベースが設けられ、ベースの両側にフック状の吊りラグが設けられ、ベースの後端面に汚水ポート、電気回路ポート及び清水ポートが設けられ、前記ホースの前端にプラグが接続され、プラグの両側に掛け金が設けられ、プラグの前端面に汚水継手、電気回路継手及び清水継手が設けられる。
【００１６】
更に、前記ベースの後端面に、ベースの中心線の両側に沿って対称的に分布している複数の位置決め孔が設けられ、プラグの前端面に、複数の位置決め孔とペアになるように設置される複数の位置決め柱が設けられる。
【００１７】
更に、前記位置決め柱は、前部が小さくて後部が大きい錐台構造として設置され、位置決め孔のポート縁に面取り部が設置される。
【００１８】
更に、前記汚水ポートの外縁に第１環状溝が設けられ、第１環状溝にＯリングが套設され、汚水継手の内径が汚水ポートの外径にマッチングする。
【００１９】
更に、前記ベースの後端面に、内径が汚水継手の外径にマッチングする嵌合孔が設けられ、汚水ポートが嵌合孔内に套設される。
【００２０】
更に、前記清水継手の外縁に第２環状溝が設けられ、第２環状溝にＯリングが套設され、清水継手の外径が清水ポートの内径にマッチングする。
【００２１】
更に、前記電気回路ポートの内壁にガイドバーが設けられ、電気回路継手の外壁にガイドバーと嵌合するガイド溝が設けられる。
【００２２】
更に、前記本体のハウジングに迅速組立・外れ防止機構が設置され、前記迅速組立・外れ防止機構は、前記ハウジングのパネルにベースが設けられ、ベースの前端の外縁にねじ山が設けられ、ベースの内孔の両側にあて板が設けられ、ベースにナットスリーブ、ホーススリーブ、第１管継手、第２管継手が接続されており、前記第２管継手に第２套管と第２配管が設けられ、第２套管と第２配管の前端があて板を貫通するとともに、第２管継手があて板の後側に当接され、前記第１管継手に止めリング、第１套管及び第１配管が設けられ、第１套管と第１配管の前端が止めリング内に設けられ、第１套管の後端が第２套管の前端内に穿設され、第１配管の後端が第２配管の前端内に穿設され、前記ホーススリーブの後端が止めリングに套設され、ナットスリーブがホーススリーブに套設されるとともに、ナットスリーブの後端がベースの前端に螺合される。
【００２３】
更に、前記止めリングの前端外縁にガイド歯が設けられて、ホーススリーブの内壁に止め歯が設けられる。
【００２４】
更に、前記第１管継手に線通し溝が設けられ、第２管継手において線通し溝と対応する位置に線通し孔が設けられる。
【００２５】
更に、前記ベースの裏側において第２管継手と対応する位置に複数の固定孔が設けられる。
【００２６】
更に、前記第１配管と第２配管の裏端外縁に波形歯が設けられる。
【００２７】
更に、前記本体に負圧源と汚物タンクが設けられ、前記汚物タンクの天蓋にリリーフバルブとアダプタが設けられ、アダプタに給水口と排気口が設けられ、給水口が水管を介して動作ヘッドに接続され、排気口が空気管を介して負圧源に接続され、前記負圧源は、ハウジング、負圧ユニット及び高速送風機を含み、ハウジングの上端に吸気継手が設けられ、ハウジングの下端に排気コネクタが設けられ、負圧ユニットは、ハウジング内に設けられ、負圧ユニットの外壁とハウジングの内壁との間に消音綿が設けられ、前記高速送風機は、負圧ユニット内に設けられ、高速送風機の上端における吸気口が負圧ユニットによって吸気継手に連通し、高速送風機の下端における排気口が負圧ユニットによって排気コネクタに連通し、高速送風機の吸気口と排気口との間における負圧ユニットのキャビティーに消音綿が設けられる。
【００２８】
更に、前記負圧ユニットは、フードを含み、フードの最上面にダクト押さえ板が設けられ、高速送風機の上端がダクト押さえ板に固定接続され、フードの底面に環状のダクトあて板が設けられ、高速送風機の下端がダクトあて板内に配置されてフードに固定接続され、ダクトあて板の外側におけるフード底板にダクト出口が設けられる。
【００２９】
更に、前記ダクトあて板の外壁とフードの間に消音綿が設けられる。
【００３０】
更に、前記高速送風機の下端とフードとの間に衝撃吸収ゴムシートが設けられる。
【００３１】
更に、前記リリーフバルブは、バルブケース、バルブカバー、プラグ及びバネを備え、バルブケースは、下端が汚物タンクの天蓋を貫通して汚物タンクに固定接続され、バルブカバーがバルブケースの上端に螺合されて、バルブカバーにリリーフ孔が設けられ、前記プラグがバルブケース内に上下移動可能に設置されるとともに、プラグの上端がバルブカバーのリリーフ孔の位置に当接され、バネがプラグの下端とバルブケースの底面との間に設けられる。
【００３２】
更に、前記アダプタの給水口内にフィルタが設けられる。
【００３３】
更に、前記本体は、汚水タンク、負圧源、洗浄機構、電源及び制御システムが設けられた移動可能な支持台を備え、前記汚水タンクの給水口と洗浄機構がそれぞれホースを介して動作ヘッドに接続され、汚水タンクの排気口と負圧源との間に除水装置が接続され、前記除水装置は、下ポートに貯水容器が設けられたベースと、ベースの上ポートに接続される上カバープレートとを含み、上カバープレートにおいて、上端がホースを介して汚水タンクに接続される吸気接続管と、上端がホースを介して負圧源に接続される排気接続管が設けられ、前記負圧源と洗浄機構は、それぞれ制御システムによって電源に接続される。
【００３４】
更に、前記貯水容器の上端に、制御システムに接続される液位センサが設けられ、貯水容器の下端に排水スイッチが設けられる。
【００３５】
更に、前記ベース内にあて板が設けられ、あて板の一側に、上下に対向配置されている吸気接続管と貯水容器が設けられ、あて板の他側に排気接続管が設けられるとともに、該他側のベース内に防水ボールが設けられる。
【００３６】
更に、前記排気接続管の上端に、ホースを介して負圧源に接続される継手が接続され、排気接続管と継手のいずれにも格子状あて板が設けられるとともに、前記格子状あて板同士の間に乾燥スポンジが充填されている。
【発明の効果】
【００３７】
本発明の有益な効果は以下のとおりである。
【００３８】
本発明によれば、外部ＰＴＣヒータを使用し、停止時に水電分離して、漏電のリスクを軽減させ、循環加熱によって吐出水の温度を一定且つ高く保持し、更に省エネで環境に優しく、内部において殺菌消毒、循環加熱を同時に行うことで、患者にクリーンな洗浄用水を提供する。
【００３９】
動作ヘッドとホースにクイック接続構造を採用し、ベースとプラグにマルチな位置決め・マッチング部が設置されて正確な接続を実現し、汚水ポート及び汚水継手、清水ポート及び清水継手がいずれもマッチングした寸法でシールリングによりシールされ、動作ヘッドを使用しない際にベースとプラグとの嵌合、掛け金とハンガーの接続方式によって迅速に組み立てることと容易に取り外すことを実現し、接続が安定して使用しやすい。
【００４０】
ハウジングに迅速組立・外れ防止機構が設置されており、ナットスリーブ、第１管継手、第２管継手、ホーススリーブを組み合わせて接続することによって、介護機器の汚物吸引管、配管、制御回路が一体に統合され、更に、絶縁ホースで被覆して接続し、水漏れ現象を避け、螺合することによって結合が迅速かつ容易であり、ホースが本体から自動外れしないことを確保する。
【００４１】
該介護機器では、空気が高速送風機により吸い込まれて負圧ユニット内に入り、負圧ユニット内の消音綿で騒音が吸収された後、負圧ユニットとハウジングの間に設置された消音綿で再び騒音が低減し、それによって、負圧源により生じた騒音を効果的に解消し、更に、リリーフバルブと電子ソフトウェアの保護手段を併用することによって、管路の目詰りによって汚物タンクを崩して悪影響を招くことを防止する。
【００４２】
該介護機器は、除水装置の遠心作用によって水滴を除去した後にスポンジで脱水することで、水蒸気の負圧源への侵入を防止し、貯水容器における液位センサがコントローラによって注意喚起及び強制的な停電保護の役割をはたし、更に、検知システムが故障する場合は、ベース内の防水ボールが浮き上がって排気接続管を塞ぎ、このような複数の手段の使用によって、介護機器の安全性と耐用年数を確保する。
【図面の簡単な説明】
【００４３】
【図１】本発明の本体の内部構造の模式図１である。
【図２】本発明の水タンクホルダーの断面構造の模式図である。
【図３】本発明の水タンクホルダーの底面構造の模式図である。
【図４】本発明に係るクイック接続構造の全体断面構造の模式図である。
【図５】本発明に係るクイック接続構造の一部分解斜視図である。
【図６】本発明に係るクイック接続構造の別の一部分解斜視図である。
【図７】本発明に係るクイック接続構造の一部拡大断面模式図である。
【図８】本発明に係る迅速組立・外れ防止機構の全体断面構造の模式図である。
【図９】本発明に係る迅速組立・外れ防止機構の断面構造模式図である；
【図１０】本発明の本体の内部構造模式図２である。
【図１１】本発明に係る負圧源の断面構造模式図である。
【図１２】本発明に係る汚物タンクの分解構造模式図である。
【図１３】本発明の本体の内部構造模式図３である。
【図１４】本発明の除水装置の分解構造模式図である。
【発明を実施するための形態】
【００４４】
以下、図面を参照しながら本発明を更に説明する。
【００４５】
本発明に係る温水循環型介護機器は、本体１と動作ヘッドを含み、前記動作ヘッドは、患者の体と接触して排泄物を収容することに用いられ、清水ノズルと乾燥装置が設置され、前記本体は、移動可能な支持台を備え、支持台に開閉可能なハウジングが設置されて洗浄作業や交換作業を容易にし、可動支持台が円滑に移動できることによって介護者が介護機器を簡単にメンテナンスできるようになる。前記本体１の支持台に水タンクホルダー１０、清水タンク１１、小ポンプ１２及びＰＴＣヒータ１３が設けられ、水タンクホルダー１０の下部に加熱タンク１４が設けられ、清水タンク１１が水タンクホルダー１０の上部に設けられ、前記水タンクホルダー１０に分流弁１５が設けられ、分流弁１５の給水口が配管を介してそれぞれ加熱タンク１４と清水タンク１１に接続され、分流弁１５の吐水口、小ポンプ１２、ＰＴＣヒータ１３、加熱タンク１４が配管を介して順に接続されている。先ず、分流弁１５が、清水タンク１１と対応する給水口を開いて、清水タンク１１内の水が小ポンプ１２から加熱タンク１４へ流れ、次に、分流弁１５が給水口を切り替えて加熱タンク１４、小ポンプ１２、ＰＴＣヒータ１３とともに還流通路を構成する。前記本体１に制御システムと主電源２２が設けられ、小ポンプ１２、ＰＴＣヒータ１３、分流弁１５が、それぞれ制御システムによって主電源２２に電気接続され、制御システムは、順に小ポンプ１２、ＰＴＣヒータ１３を起動させて加熱タンク１４内の水を循環加熱して、それによって、加熱タンク１４内から吐出する水の温度を一定に保持する。
【００４６】
上記本体１に、前記ＰＴＣヒータ１３と加熱タンク１４の間の配管に接続されるとともに、制御システムに電気接続されるＵＶ消毒器１６が設けられ、循環加熱している水が、ＵＶ消毒器１６により消毒されて加熱タンク１４内に還流する。
【００４７】
上記水タンクホルダー１０の一側にポンプホルダー２０が設けられ、ポンプホルダー２０内に大ポンプ２１が設けられ、大ポンプ２１が配管を介してそれぞれ加熱タンク１４と動作ヘッドに接続され、加熱タンク１４における加熱消毒後の水が、大ポンプ２１によって吸い取られて動作ヘッドへ輸送されて、動作ヘッドに設置された複数のノズルを介して洗浄作業に用いられる。
【００４８】
上記清水タンク１１に液位センサ１８が設けられ、加熱タンク１４に温度センサ１７が設けられ、液位センサ１８と温度センサ１７がそれぞれ制御システムに接続され、液位センサ１８は、清水タンク１１内の水位を監視し、警戒水位になると、コントローラに信号を送信して、介護者に水を補給することを通知するためのものであり、温度センサ１７は、加熱タンク１４内の水温を監視して、制御システムが所定プログラムに基づき加熱又は補給動作を開始できるように、制御システムにデータ信号を伝送するためのものである。
【００４９】
加熱タンク１４の底面に汚物排出弁１９が設けられ、清水タンク１１の注水口に濾過装置が設けられる。汚物排出弁１９を開いて清水タンク１１内の水垢等の異物を排出することで、介護機器内の洗浄用水の品質を向上させて、異物や汚れ等による給水装置のダメージを回避することができる。
【００５０】
上記ＰＴＣヒータ１３と小ポンプ１２は、それぞれ独立して設置されるとともに、両方の外側に絶縁ハウジングがカバーされ、水タンクホルダー１０とポンプホルダー２０は上記各部材を互いに隔てるように設置することによって、水漏れや漏電による事故を防止し、内部空間をうまく活用させて全体の体積を減少させ、使用の安全性及び信頼性を向上させる。
【００５１】
前記動作ヘッドとホースにはクイック接続構造が使用され、該構造は、動作ヘッド２０１とホース２０２を備え、動作ヘッド２０１に排泄物容器、噴水機構及び制御プロセッサが設けられ、前記動作ヘッド２０１の末端にベース２１０が設けられ、ベース２１０の両側にフック状吊りラグ２１１が設けられ、ベース２１０の後端面に汚水ポート２１２、電気回路ポート２１３及び清水ポート２１４が設けられ、汚水ポート２１２は動作ヘッド２０１における排泄物容器の排泄口に接続され、電気回路ポート２１３は制御プロセッサに接続され、清水ポート２１４は噴水機構に接続され、前記ホース２０２の前端にプラグ２２０が接続され、プラグ２２０の前端面がベース２１０の後端面にマッチングし、掛け金板と掛け金リングを含む掛け金２２１がプラグ２２０の両側に設けられ、掛け金板の一端がプラグ２２０にヒンジ接続され、掛け金リングの後端が掛け金板に可動接続され、更に掛け金リングの前端が吊りラグ２１１に掛けた後、掛け金板が後部へ反転してプラグ２２０とベース２１０を緊密に接続し、プラグ２２０の前端面に汚水継手２２２、電気回路継手２２３及び清水継手２２４が設けられ、汚水継手２２２はホース２０２における汚水管に接続され、電気回路継手２２３はホース２０２内における回路配線に接続され、清水継手２２４はホース２０２内の清水管に接続され、ベース２１０とプラグ２２０の着脱可能な接続構造によって、使用しない時に動作ヘッド２０１とホース２０２を取り外して収納することができ、ホース２０２は介護機器本体に巻設するように設置できる。
【００５２】
上記ベース２１０の後端面に、ベース２１０の中心線の両側に沿って対称的に分布している複数の位置決め孔２１５が設けられ、プラグ２２０の前端面に、複数の位置決め孔２１５とペアになるように設置される複数の位置決め柱２２５が設けられ、プラグ２２０をベース２１０に接続する時に、位置決め柱２２５によって位置決め孔２１５を位置合わせすることで、組み立ての精度及び接続速度を高め、更に、位置決め柱２２５が位置決め孔２１５に挿入された後に、両方の嵌合関係によりベース２１０とプラグ２２０の接続強度を向上できる。
【００５３】
上記位置決め柱２２５は前部が小さくて後部が大きい錐台構造として設置され、位置決め孔２１５のポート縁に面取り部が設けられており、錐台構造とする位置決め柱２２５は、組み立て時に嵌合調整作用を有するから、位置決め柱２２５が容易に位置決め孔２１５に挿入できるようにして組立精度と速度を高めることができる。
【００５４】
上記汚水ポート２１２の外縁に第１第２環状溝１７が設けられ、第１第２環状溝１７にＯリングが套設され、汚水継手２２２の内径が汚水ポート２１２の外径にマッチングし、Ｏリングの外縁直径が汚水ポート２１２の外縁直径より大きく、汚水継手２２２を汚水ポート２１２に套設する時に、Ｏリングが変形して汚水継手２２２の内壁に密着し、それにより、汚水継手２２２と汚水ポート２１２のシール性を向上させる。
【００５５】
上記ベース２１０の後端面に嵌合孔２１８が設けられ、汚水ポート２１２が嵌合孔２１８内に套設され、嵌合孔２１８の内径が汚水継手２２２の外径にマッチングし、汚水継手２２２が汚水ポート２１２と嵌合孔２１８との間に挿入されることで、汚水継手２２２と汚水ポート２１２の組立精度及び接続強度を更に高める。
【００５６】
上記清水継手２２４の外縁に第２環状溝２２７が設けられ、第２環状溝２２７にＯリングが套設され、清水継手２２４の外径が清水ポート２１４の内径にマッチングし、清水継手２２４は、Ｏリングによって清水継手２２４とのシール性を向上させる。
【００５７】
上記電気回路ポート２１３の内壁にガイドバー２１６が設けられ、電気回路継手２２３の外壁にガイドバー２１６と嵌合するガイド溝２２６が設けられ、電気回路継手２２３と電気回路ポート２１３を組み立てる時に、ガイド溝２２６とガイドバー２１６によるガイド作用によって組立精度を向上させる。
【００５８】
本介護機器の本体のハウジング３１０に迅速組立・外れ防止機構が設置されており、前記ハウジング３１０のパネルにベース３２０が設けられ、ベース３２０の内部にパネルの両側を連通する貫通孔が設けられ、ベース３２０の前端の外縁にねじ山が設けられ、ベース３２０の内部の貫通孔の両側に、対称的且つ間隔的に設置されたあて板３２１が設けられ、ベース３２０にナットスリーブ３３０、ホーススリーブ３６０、第１管継手３５０、第２管継手３４０が接続され、前記第２管継手３４０に第２套管３４１と第２配管３４２が設けられ、第２套管３４１と第２配管３４２の前端があて板３２１を貫通するとともに、第２管継手３４０があて板３２１の後側に当接され、第２管継手３４０が、パネルの後側に設置されてベース３２０に固定接続され、第２配管３４２の後端が、本体内の給水システムに管路によって接続され、前記第１管継手３５０に止めリング３５３、第１套管３５１及び第１配管３５２が設けられ、第１套管３５１と第１配管３５２の前端が止めリング３５３内に設けられ、第１套管３５１の後端が第２套管３４１の前端内に穿設され、第１配管３５２の後端が第２配管３４２の前端内に穿設され、止めリング３５３が絶縁ホースの接続固定に用いられ、第１套管３５１内に汚水管が穿設され、第１配管３５２の後端にガスケットが設けられて第２配管３４２と嵌合するように接続されて通路を構成し、前記ホーススリーブ３６０の後端が止めリング３５３に套設され、ホーススリーブ３６０内に絶縁ホースが穿設して套設されて止めリング３５３に被覆するように固定され、ナットスリーブ３３０がホーススリーブ３６０に套接されるとともに、、ナットスリーブ３３０の後端がベース３２０の前端に螺合される。
【００５９】
上記止めリング３５３の前端外縁にガイド歯３５４が設けられ、ホーススリーブ３６０の内壁に止め歯３６１が設けられ、絶縁ホースがねじ切り管であり、更にガイド歯３５４及び止め歯３６１と螺合を形成して、本体からのホースの自動外れを回避する。
【００６０】
上記第１管継手３５０に線通し溝３５５が設けられ、第２管継手３４０において線通し溝３５５と対応する位置に線通し孔３４３が設けられ、制御回路が絶縁ホース内に設置されてもよく、制御回路が、ホーススリーブ３６０、線通し溝３５５、線通し孔３４３を経て本体上の制御システムに接続される。
【００６１】
上記ベース３２０の裏側において第２管継手３４０と対応する位置に複数の固定孔３４３が設けられ、ベース３２０の後側に制限溝が設置され、第２管継手３４０が制限溝に係止された後にネジにより固定孔３４３を貫通してベース３２０に固定接続される。
【００６２】
上記第１配管３５２と第２配管３４２の内端外縁に波形歯が設けられ、水受け管が波形歯に套設されて、大きな締め代を有するとともに波形歯が尖ったため、第１配管３５２、第２配管３４２及び管路のシール性を向上させて、水漏れ現象を防止する。
【００６３】
本体１に負圧源４０２と汚物タンク４０３が設けられ、前記汚物タンク４０３の天蓋にリリーフバルブ４３２とアダプタ４３１が設けられ、アダプタ４３１に、水管を介して動作ヘッドに接続される給水口６１１と、空気管を介して負圧源４０２に接続される排気口６１２が設けられ、負圧源４０２は空気吸引して汚物タンク４０３内で真空効果を形成して、更に動作ヘッド内の汚水を水管によって汚物タンク４０３内に圧送し、リリーフバルブ４３２は汚物タンク４０３内の真空圧力を解放して、汚物タンク４０３と動作ヘッドの間の管路の目詰りにより真空圧力が高すぎて、汚物タンク４０３を崩して負圧源４０２にダメージを与えることを防止する。
【００６４】
負圧源４０２は、負圧源ハウジング４２１、負圧ユニット４２２及び高速送風機４２３を備え、負圧源ハウジング４２１は、上端に吸気継手５１１が設けられ、下端に排気コネクタ５１２が設けられ、負圧ユニット４２２は、負圧源ハウジング４２１内に設けられ、負圧ユニット４２２の外壁と負圧源ハウジング４２１の内壁の間に消音綿４２４が設けられ、負圧源４０２の動作時に生じた風の振動による騒音が消音綿４２４に吸収されて効果的に低減し、前記高速送風機４２３は、負圧ユニット４２２内に設けられ、高速送風機４２３の上端における吸気口が負圧ユニット４２２によって吸気継手５１１に連通し、高速モータの下端における排気口が負圧ユニット４２２によって排気コネクタ５１２に連通し、高速モータの吸気口と排気口の間における負圧ユニット４２２のキャビティーに消音綿４２４が設けられ、高速送風機４２３は、汚物タンク４０３内の空気を吸い込んだ後、排気口から負圧ユニット４２２のキャビティーに入り、風が負圧ユニット４２２内の消音綿４２４を経た後に騒音が低減する。
【００６５】
上記負圧ユニット４２２はフード５２１を備え、フード５２１の最上面にダクト押さえ板５２２が設けられ、高速送風機４２３の上端がダクト押さえ板５２２に固定接続され、ダクト押さえ板５２２に負圧源ハウジング４２１上の吸気継手５１１と高速送風機４２３の吸気口を連通するための接続通路が設けられ、フード５２１の底面に環状のダクトあて板５２３が設置され、高速送風機４２３の下端がダクトあて板５２３内に配置されてフード５２１に固定接続され、ダクトあて板５２３の外側におけるフード５２１の底板にダクト出口５２４が設けられ、高速送風機４２３により吸い込んだ空気が、排気口からフード５２１のキャビティーに入り、空気が、ダクトあて板５２３において上向きに流れた後に、反転してダクト出口５２４から排出され、このようにして、ダクトあて板５２３によって空気のフード５２１での移動経路を延長させて、騒音が消音綿４２４により十分に吸収できるようにする。
【００６６】
上記ダクトあて板５２３の外壁とフード５２１の間に、フード５２１内での空気流動による騒音を低減させる消音綿４２４が設けられる。
【００６７】
上記高速送風機４２３の下端とフード５２１の間に、衝撃吸収ゴムシート４２５が設けられて、高速送風機４２３の動作時に生じた振動と、空気が高速で流動する時に生じた共鳴を吸収して低減させる。
【００６８】
上記リリーフバルブ４３２は、バルブケース６２４、バルブカバー６２１、プラグ６２２及びバネ６２３を備え、バルブケース６２４は、下端が汚物タンク４０３の天蓋を貫通するとともに、汚物タンクに固定接続され、バルブカバー６２１は、バルブケース６２４の上端に螺合され、バルブカバー６２１にリリーフ孔が設けられ、前記プラグ６２２は、バルブケース６２４内に上下移動可能に設置されるとともに、プラグ６２２の上端がバルブカバー６２１のリリーフ孔の位置に当接され、バネ６２３は、プラグ６２２の下端とバルブケース６２４の底面の間に設けられ、バルブケース６２４に汚物タンク４０３に連通している気孔が設けられ、バルブケース６２４内の圧力が汚物タンク４０３内の圧力に一致し、負圧源４０２が真空化を行う時に、バルブケース６２４内の圧力が低下し、バネ６２３は、プラグ６２２を安定的に保持するとともにバルブカバー６２１におけるリリーフ孔を塞ぎ、このようにして、管路の目詰りによって、汚物タンク４０３内の圧力がバネ６２３の応力値を超えるほど高い場合に、空気が外部から汚物タンク４０３に入ってその崩れを防止し、更に重大な結果を回避する。
【００６９】
上記アダプタ４３１の給水口６１１内にフィルタ６１３が設けられて、異物の汚物タンク４０３への侵入を防止する。
【００７０】
前記動作ヘッドは、患者の体と接触して排泄物を収容するためのもので、清水ノズルと乾燥装置が設置され、前記本体は、移動可能な支持台７０１を備え、支持台７０１に開閉可能なハウジングが設置されて洗浄作業や交換作業を容易にし、可動支持台が円滑に移動できることによって介護者が介護機器を容易にメンテナンスできるようになり、支持台７０１には、汚水タンク７０２、負圧源４０２、洗浄機構７０４、電源７０６及び制御システムが設けられ、前記汚水タンク７０２の給水口と洗浄機構７０４はそれぞれホースを介して動作ヘッドに接続され、動作ヘッドが収集した排泄物はホースを経由して汚水タンク７０２に吸い込まれて、洗浄機構７０４は清水を加熱して消毒した後に動作ヘッドに輸送して患者の体を洗い、汚水タンク７０２の排気口と負圧源４０２の間に除水装置７０５が接続され、負圧源４０２は、起動されると、汚水タンク７０２内で負圧を形成して、汚水タンク７０２内の空気が持つ水滴や水蒸気を除水装置７０５で濾過した後に負圧源４０２に吸い込み、更に使用安全性を向上させ、負圧源４０２の排気口に脱臭装置が設けられ、前記負圧源４０２と洗浄機構７０４は、それぞれ制御システムによって電源７０６に接続され、介護機器が適切且つ安全に動作するように、制御システムが所定プログラムを利用して各部材を検出して制御する。
【００７１】
上記除水装置７０５は、ベース７５０と上カバープレート７５１を備え、上カバープレート７５１がベース７５０の上ポートに接続され、ベース７５０の下ポートに貯水容器７５７が設けられ、上カバープレート７５１に、上端がホースを介して汚水タンク７０２に接続される吸気接続管７５２と、上端がホースを介して負圧源４０２に接続される排気接続管７５３が設けられ、負圧源４０２が空気を吸引し始めると、汚水タンク７０２内の空気が吸気接続管７５２に入り、含水空気がベース７５０のキャビティーを経て方向を変え、遠心力の作用下で空気における水滴が貯水容器７５７に入り、次に排気接続管７５３から排出した空気が更に負圧源４０２に入り、それによって、水滴の侵入によって負圧源４０２が焼損することを防止する。
【００７２】
上記排気接続管７５３の上端に継手７５８が接続され、継手７５８がホースを介して負圧源４０２に接続され、排気接続管７５３と継手７５８内に格子状あて板が設けられるとともに、前記格子状あて板同士の間に乾燥スポンジが充填されて、空気に含まれる水分を更に乾燥させて、負圧源４０２の動作環境の乾燥度を確保し、高湿度による漏電を防止して耐用年数を延ばす。
【００７３】
上記貯水容器７５７の上端に、制御システムに接続されて、貯水容器７５７内に蓄積した水が設定値に達すると制御システムによって排水信号を送信する液位センサ７５６が設けられ、貯水容器７５７の下端に排水スイッチ７５９が設けられる。
【００７４】
上記ベース７５０内にあて板７５４が設けられ、あて板７５４の一側に、上下に対向配置されている吸気接続管７５２と貯水容器７５７が設けられ、あて板７５４の他側に排気接続管７５３が設けられるとともに、該他側のベース７５０内に防水ボール７５５が設けられ、あて板７５４は、防水ボール７５５を排気接続管７５３の一側に制限し、上記センサが故障したり、制御システムにエラーが発生したり、留守番がなかったりする場合は、貯水容器７５７内の水位が警戒線を超えると、防水ボールが浮き上がって排気接続管７５３を塞ぎ、それによって、負圧源４０２の焼損や漏電の事故を防止する。
【００７５】
以上、本発明の好適な実施形態を説明したが、本発明の特許請求の範囲における構造、特徴や原理に基づき行う同等変換や修飾は、全て本発明の特許請求の範囲に属する。
【符号の説明】
【００７６】
１  本体
１０  水タンクホルダー
１１  清水タンク
１２  小ポンプ
１３  ＰＴＣヒータ
１４  加熱タンク
１５  分流弁
１６  消毒器
１７  温度センサ
１８  液位センサ
１９  汚物排出弁
２０  ポンプホルダー
２１  大ポンプ
２２  主電源
２０１  動作ヘッド
２０２  ホース
２１０  ベース
２１１  吊りラグ
２１２  汚水ポート
２１３  電気回路ポート
２１４  清水ポート
２１５  位置決め孔
２１６  ガイドバー
２１７  第１環状溝
２１８  嵌合孔
２２０  プラグ
２２１  掛け金
２２２  汚水継手
２２３  電気回路継手
２２４  清水継手
２２５  位置決め柱
２２６  ガイド溝
２２７  第２環状溝
３１０  ハウジング
３２０  ベース
３２１  あて板
３３０  ナットスリーブ
３４０  第２管継手
３４１  第２套管
３４２  第２配管
３４３  線通し孔
３５０  第１管継手
３５１  第１套管
３５２  第１配管
３５３  止めリング
３５４  ガイド歯
３５５  線通し溝
３６０  ホーススリーブ
３６１  止め歯
４０２  負圧源
４０３  汚物タンク
４２１  負圧源ハウジング
４２２  負圧ユニット
４２３  高速送風機
４２４  消音綿
４２５  衝撃吸収ゴムシート
４３１  アダプタ
４３２  リリーフバルブ
５１１  吸気継手
５１２  排気コネクタ
５２１  フード
５２２  ダクト押さえ板
５２３  ダクトあて板
５２４  ダクト出口
６１１  給水口
６１２  排気口
６１３  フィルタ
６２１  バルブカバー
６２２  プラグ
６２３  バネ
６２４  バルブケース
７０１  支持台
７０２  汚水タンク
４０２  負圧源
７０４  洗浄機構
７０５  除水装置
７０６  電源
７５０  ベース
７５１  上カバープレート
７５２  吸気接続管
７５３  排気接続管
７５４  あて板
７５５  防水ボール
７５６  液位センサ
７５７  貯水容器
７５８  継手
７５９  排水スイッチ
【図１】
2017515539.tif 000003
【図２】
2017515539.tif 000004
【図３】
2017515539.tif 000005
【図４】
2017515539.tif 000006
【図５】
2017515539.tif 000007
【図６】
2017515539.tif 000008
【図７】
2017515539.tif 000009
【図８】
2017515539.tif 000010
【図９】
2017515539.tif 000011
【図１０】
2017515539.tif 000012
【図１１】
2017515539.tif 000013
【図１２】
2017515539.tif 000014
【図１３】
2017515539.tif 000015
【図１４】
2017515539.tif 000016
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
本体と動作ヘッドを含む温水循環型介護機器であって、
前記本体に水タンクホルダー、清水タンク、小ポンプ及びＰＴＣヒータが設けられ、水タンクホルダーの下部に加熱タンクが設けられ、清水タンクが水タンクホルダーの上部に設けられ、前記水タンクホルダーに分流弁が設けられ、分流弁の給水口が水管を介してそれぞれ加熱タンクと清水タンクに接続され、分流弁の吐水口、小ポンプ、ＰＴＣヒータ、加熱タンクが水管を介して順に接続され、前記本体に制御システムと主電源が設けられ、小ポンプ、ＰＴＣヒータ、分流弁がそれぞれ制御システムによって主電源に電気接続されることを特徴とする温水循環型介護機器。
【請求項２】
前記本体に、前記ＰＴＣヒータと加熱タンクの間の水管に接続されるとともに、制御システムに電気接続されるＵＶ消毒器が設けられることを特徴とする請求項１に記載の温水循環型介護機器。
【請求項３】
前記水タンクホルダーの一側にポンプホルダーが設けられ、ポンプホルダー内に大ポンプが設けられ、大ポンプが水管を介してそれぞれ加熱タンクと動作ヘッドに接続されることを特徴とする請求項１に記載の温水循環型介護機器。
【請求項４】
前記清水タンクに液位センサが設けられ、加熱タンクに温度センサが設けられ、液位センサと温度センサがそれぞれ制御システムに接続され、加熱タンクの底面に汚物排出弁が設けられることを特徴とする請求項１に記載の温水循環型介護機器。
【請求項５】
前記ＰＴＣヒータと小ポンプのいずれの外側にも絶縁ハウジングがカバーされていることを特徴とする請求項１に記載の温水循環型介護機器。
【請求項６】
前記動作ヘッドとホースがクイック接続構造を採用し、前記動作ヘッドの末端にベースが設けられ、ベースの両側にフック状吊りラグが設けられ、ベースの後端面に汚水ポート、電気回路ポート及び清水ポートが設けられ、前記ホースの前端にプラグが接続され、プラグの両側に掛け金が設けられ、プラグの前端面に汚水継手、電気回路継手及び清水継手が設けられることを特徴とする請求項１に記載の温水循環型介護機器。
【請求項７】
前記ベースの後端面に、ベースの中心線の両側に沿って対称的に分布している複数の位置決め孔が設けられ、プラグの前端面に、複数の位置決め孔とペアになるように設置される複数の位置決め柱が設けられることを特徴とする請求項６に記載の温水循環型介護機器。
【請求項８】
前記本体のハウジングに迅速組立・外れ防止機構が設置され、前記迅速組立・外れ防止機構は、前記本体のハウジングのパネルにベースが設けられ、ベースの前端の外縁にねじ山が設けられ、ベースの内孔の両側にあて板が設けられ、ベースにナットスリーブ、ホーススリーブ、第１管継手、第２管継手が接続され、前記第２管継手に第２套管と第２配管が設けられ、第２套管と第２配管の前端があて板を貫通するとともに、第２管継手があて板の後側に当接され、前記第１管継手に止めリング、第１套管及び第１配管が設けられ、第１套管と第１配管の前端が止めリング内に設けられ、第１套管の後端が第２套管前端内に穿設され、第１配管の後端が第２配管の前端内に穿設され、前記ホーススリーブの後端が止めリングに套設され、ナットスリーブがホーススリーブに套設されるとともに、ナットスリーブの後端がベースの前端に螺合されるように構成されることを特徴とする請求項１に記載の温水循環型介護機器。
【請求項９】
前記止めリングの前端外縁にガイド歯が設けられ、ホーススリーブの内壁に止め歯が設けられることを特徴とする請求項８に記載の温水循環型介護機器。
【請求項１０】
前記第１管継手に線通し溝が設けられ、第２管継手において線通し溝と対応する位置に線通し孔が設けられることを特徴とする請求項８に記載の温水循環型介護機器。
【請求項１１】
前記本体に負圧源と汚物タンクが設けられ、前記汚物タンクの天蓋にリリーフバルブとアダプタが設けられ、アダプタに給水口と排気口が設けられ、給水口が水管を介して動作ヘッドに接続されて、排気口が空気管を介して負圧源に接続され、前記負圧源は、負圧源ハウジング、負圧ユニット及び高速送風機を含み、負圧源ハウジングの上端に吸気継手が設けられ、負圧源ハウジングの下端に排気コネクタが設けられ、負圧ユニットは、負圧源ハウジング内に設けられ、負圧ユニットの外壁と負圧源ハウジングの内壁の間に消音綿が設けられ、前記高速送風機が負圧ユニット内に設けられ、高速送風機の上端における吸気口が負圧ユニットによって吸気継手に連通し、高速送風機の下端における排気口が負圧ユニットによって排気コネクタに連通し、高速送風機の吸気口と排気口の間における負圧ユニットのキャビティーに消音綿が設けられることを特徴とする請求項１に記載の温水循環型介護機器。
【請求項１２】
前記負圧ユニットは、フードを含み、フードの最上面にダクト押さえ板が設けられ、高速送風機の上端がダクト押さえ板に固定接続され、フードの底面に環状のダクトあて板が設けられ、高速送風機の下端がダクトあて板内に配置されるとともに、フードに固定接続され、ダクトあて板の外側におけるフードの底板にダクト出口が設けられることを特徴とする請求項１１に記載の温水循環型介護機器。
【請求項１３】
前記ダクトあて板の外壁とフードの間に消音綿が設けられることを特徴とする請求項１２に記載の温水循環型介護機器。
【請求項１４】
前記高速送風機の下端とフードの間に衝撃吸収ゴムシートが設けられることを特徴とする請求項１２に記載の温水循環型介護機器。
【請求項１５】
前記リリーフバルブは、バルブケース、バルブカバー、プラグ及びバネを含み、バルブケースは、下端が汚物タンクの天蓋を貫通して汚物タンクに固定接続され、バルブカバーがバルブケースの上端に螺合され、バルブカバーにリリーフ孔が設けられ、前記プラグがバルブケース内に上下移動可能に設置されるとともに、プラグの上端がバルブカバーのリリーフ孔の位置に当接され、バネがプラグの下端とバルブケースの底面の間に設けられることを特徴とする請求項１１に記載の温水循環型介護機器。
【請求項１６】
前記アダプタの給水口内にフィルタが設けられることを特徴とする請求項１１に記載の温水循環型介護機器。
【請求項１７】
前記本体は、汚水タンク、負圧源、洗浄機構、電源及び制御システムが設置された移動可能な支持台を備え、前記汚水タンクの給水口と洗浄機構がそれぞれホースを介して動作ヘッドに接続される温水循環型介護機器において、汚水タンクの排気口と負圧源の間に除水装置が接続され、前記除水装置は、ベースと上カバープレートを含み、ベースの下ポートに貯水容器が設けられ、上カバープレートがベースの上ポートに接続され、上カバープレートに吸気接続管と排気接続管が設けられ、吸気接続管の上端が、ホースを介して汚水タンクに接続され、排気接続管の上端が、ホースを介して負圧源に接続され、前記負圧源と洗浄機構はそれぞれ制御システムによって電源に接続される請求項１に記載の温水循環型介護機器。
【請求項１８】
前記貯水容器の上端に、制御システムに接続される液位センサが設けられ、貯水容器の下端に排水スイッチが設けられることを特徴とする請求項１７に記載の温水循環型介護機器。
【請求項１９】
前記ベース内にあて板が設けられ、あて板の一側に、上下に対向配置されている吸気接続管と貯水容器が設けられ、あて板の他側に排気接続管が設けられるとともに、該他側のベース内に防水ボールが設けられることを特徴とする請求項１７に記載の温水循環型介護機器。
【請求項２０】
前記排気接続管の上端に、ホースを介して負圧源に接続される継手が接続され、排気接続管と継手内に格子状あて板が設けられるとともに、前記格子状あて板同士の間に乾燥スポンジが充填されていることを特徴とする請求項１７に記載の温水循環型介護機器。
【国際調査報告】
2017515539.tif 000017
2017515539.tif 000018
2017515539.tif 000019
2017515539.tif 000020
2017515539.tif 000021
2017515539.tif 000022